(57)【要約】【課題】衝撃を受けた場合などに、計器を覆う部材のみが損傷することにより、計器をオフ状態にすることなく、その損傷した部材のみを交換するだけで復旧できるようにして、計器の機能の継続と共に作業の軽減を図ることのできる計器カバーを提供すること。【解決手段】外壁などに設置して電力量計１００の外面を覆う状態にする計器カバー１０であって、外壁に固定して電力量計を取り付けるベース１１と、電力量計を収容する箱型に形成する左側面カバー２１および多面カバー３１と、を備えて、ベースの両側面の上下２箇所には貫通穴１２が開口する一方、左側面カバー２１と多面カバー３１の右側面部３２にはその貫通穴内に差し込んで嵌入させる差込棒２２が対応する箇所に立設される構造を採用し、ベース１１は左側面カバー２１や多面カバー３１よりも数倍の肉厚に形成する。【選択図】図１
2011002275.tif 000002
【特許請求の範囲】
【請求項１】
計器の取付対象に設置して該計器の外面を覆う状態にする計器カバーであって、
前記計器の取付面を被取付面に対面させる状態で固定するとともに該被取付面の背面側の固定面を前記取付対象に対面させる状態で固定するベース部材と、前記計器の外面の一部または全体を覆うことのできる形状に形成されているカバー部材と、を備えて、
前記ベース部材には前記被取付面および前記固定面の間の外面に係合凹部または係合凸部の一方が形成されるとともに、前記カバー部材には前記ベース部材の前記係合凹部または前記係合凸部の一方に係合させる前記係合凹部または前記係合凸部の他方が形成されており、
前記カバー部材は前記係合凹部と前記係合凸部の断面幅よりも薄い肉厚の材料により形成される一方、
前記ベース部材は前記係合凹部と前記係合凸部の断面幅よりも厚く前記カバー部材の数倍の肉厚に形成されていることを特徴とする計器カバー。
【請求項２】
前記係合凹部は、前記ベース部材の前記被取付面および前記固定面の間の側面の両側の一方または双方に少なくとも１箇所以上で開口する穴形状に形成されているとともに、前記係合凸部は、前記カバー部材の前記係合凹部のそれぞれに対応する箇所に配設されて当該穴形状内に差し込む突起形状に形成されており、
前記カバー部材は、前記係合凸部を前記ベース部材の前記係合凹部内に差し込む方向に移動させることで突き合わせて前記計器を収容可能な外形を形成する複数部品に分割されているとともに、当該突合箇所に互いに係合するロック構造が形成されていることを特徴とする請求項１に記載の計器カバー。
【請求項３】
前記カバー部材は、前記ベース部材の前記係合凹部の一方が形成されている前記側面の延長方向に延在する板形状の第１側面部および前記計器の正面に対面する板形状の正面部を少なくとも有する第１カバーと、前記ベース部材の前記係合凹部の他方が形成されている前記側面の延長方向に延在する板形状の第２側面部を少なくとも有する第２カバーと、を備えて、前記計器の上面に対面する上面部は前記第１カバーまたは前記第２カバーの一方に備えられているとともに、前記計器の下面に対面する下面部は前記第１カバーまたは前記第２カバーの一方あるいは他方に備えられており、
前記ロック構造は、前記第１カバーの前記正面部と前記第２カバーの前記第２側面部の前記突合箇所に配設されていることを特徴とする請求項２に記載の計器カバー。
【請求項４】
前記係合凹部および前記係合凸部は、嵌め合い可能に同一形状に形成されているとともに、前記ベース部材および前記カバー部材の組み合わせ種別毎に異なる横断面形状に形成されていることを特徴とする請求項１、２または３に記載の計器カバー。
【請求項５】
前記カバー部材は、前記計器の電線を接続する接続端子部に対面して当該外面を覆う形状に形成されていることを特徴とする請求項１乃至４のいずれかに記載の計器カバー。
【発明の詳細な説明】
【技術分野】
【０００１】
本発明は、計器カバーに関し、例えば、屋内外に設置する電力量計等の計器の外面を覆うように設置するものに関する。
【背景技術】
【０００２】
電気機器は、漏電や短絡等の事故が発生しないように絶縁性を確保する状態で設置されており、例えば、図２に示す電力量計（計器）１００は、屋外に設置する場合には、箱型の計器ケース（計器カバー）内に収納することにより外面の全体を覆っている（例えば、特許文献１、２を参照）。ここで、このような電力量計１００を容易に設置することができるようにする取付台も提案されている（例えば、特許文献３を参照）。
【０００３】
簡単に説明すると、電力量計１００は、商用電源と各戸の負荷装置との間に本体部１０１が介在するように電線を接続端子台１０２に接続するようになっており、その接続端子台１０２には、不用意に触れてしまわないように保護カバー１０３を取り付けるようになっている。
【０００４】
例えば、図６に示すように、計器ケース２００は、電力量計１００を設置する家屋などの屋外の外壁（取付面）に固定するベース部材２１０と、このベース部材２１０に取り付けて電力量計１００を収容する空間を形成するカバー部材２２０とで構成されている。この計器ケース２００は、ベース部材２１０の外周縁部２１１とカバー部材２２０の外周縁部２２１とが密接する状態に組み立てるようになっており、ベース部材２１０に設置した電力量計１００をカバー部材２２０で覆うように取り付けることで雨水などが浸入することがないようにする。なお、計器ケース２００は、ベース部材２１０にカバー部材２２０を取り付けた状態で不図示の封印具を固設することで無闇に開けられてしまうことを制限している。また、計器ケース２００は、内部の電力量計１００の本体部１０１を目視することができるように、カバー部材２２０の前面に窓２２２が設けられている。
【０００５】
また、電力量計１００を屋内に設置する場合には、外面の全体を覆う必要がないことから電線を接続する接続端子台１０２の一部のみを保護するように、図７に示す簡易な計器カバー３００を取り付ける。
【０００６】
計器カバー３００は、図７に示しように、家屋などの屋内に固定した電力量計１００の接続端子台１０２を収容する空間を形成するカバー部材３２０で構成されており、中央に形成されている隠し穴３２１内に不図示のネジを差し込んで接続端子台１０２に固定するようになっている。この計器カバー３００（カバー部材３２０）は、屋内に設置する場合には雨水などが浸入することがないことから、接続端子台１０２の一部を覆うように取り付けることで不用意に触れてしまうことがないようにする。なお、計器カバー３００は、回動支点３２２ａを中心に回動する閉止蓋３２２で隠し穴３２１を閉止することで無闇に接続端子台１０２が開けられてしまうことを制限している。
【先行技術文献】
【特許文献】
【０００７】
【特許文献１】特開２０００−２３２２７５号公報
【特許文献２】特開２０００−２７０４２０号公報
【特許文献３】特開２００３−３０７５２８号公報
【発明の概要】
【発明が解決しようとする課題】
【０００８】
しかしながら、このような屋外に設置する計器カバーにあっては、図６に示す計器ケース２００と同様に、ベース部材２１０とカバー部材２２０とが同等の肉厚の材料で作製されている（特許文献１の図５、特許文献２の図２、図３、特許文献３の図４、図６を参照）。
【０００９】
このことから、カバー部材２２０に衝撃が加えられて破損するような場合には、ベース部材２１０も一緒に破損することが多く、そのような場合には、電力供給を停止（停電）して電力量計１００と共に全体を外して交換する必要がある。
【００１０】
なお、屋内に設置する計器カバー３００にあっても、屋外に設置する計器ケース２００と同様に電力量計１００を取り付けるベース部材にカバー部材３２０を固定する構造を採用する場合には、同様の問題が発生する。
【００１１】
そこで、本発明は、衝撃を受けた場合などに、計器を覆う部材のみが損傷することにより、計器をオフ状態にすることなく、その損傷した部材のみを交換するだけで復旧できるようにして、計器の機能の継続と共に作業の軽減を図ることのできる計器カバーを提供することを目的としている。
【課題を解決するための手段】
【００１２】
上記課題を解決する発明は、計器の取付対象に設置して該計器の外面を覆う状態にする計器カバーであって、前記計器の取付面を被取付面に対面させる状態で固定するとともに該被取付面の背面側の固定面を前記取付対象に対面させる状態で固定するベース部材と、前記計器の外面の一部または全体を覆うことのできる形状に形成されているカバー部材と、を備えて、前記ベース部材には前記被取付面および前記固定面の間の外面に係合凹部または係合凸部の一方が形成されるとともに、前記カバー部材には前記ベース部材の前記係合凹部または前記係合凸部の一方に係合させる前記係合凹部または前記係合凸部の他方が形成されており、前記カバー部材は前記係合凹部と前記係合凸部の断面幅よりも薄い肉厚の材料により形成される一方、前記ベース部材は前記係合凹部と前記係合凸部の断面幅よりも厚く前記カバー部材の数倍の肉厚に形成されていることを特徴とするものである。
【００１３】
この発明では、取付対象との間に挟む状態にして計器を固定するベース部材と、その計器の外面を覆うカバー部材とを組み立てた状態にする係合凹部および係合凸部の係合箇所での断面幅に対して、ベース部材は厚く、また、カバー部材は薄く形成されて、２倍以上の肉厚差にされる。したがって、ベース部材とカバー部材の材料を違えるなどの特別な設計をすることなく、単に肉厚を変えるだけで、ベース部材の強度を係合箇所よりも強くするとともに、カバー部材の強度を係合箇所よりも弱くすることができる。
【発明の効果】
【００１４】
このように本発明によれば、ベース部材とカバー部材の肉厚に差を付けることにより、衝撃を受けた場合に、係合箇所の断面幅以下のカバー部材のみを損傷させて、ベース部材を再利用することができる。したがって、カバー部材を交換するたけで容易に復旧することができるとともに、計器を停止させることなく復旧作業を行なうことができる。
【図面の簡単な説明】
【００１５】
【図１】本発明に係る計器カバーの第１実施形態を示す図であり、その全体構成を示す分解斜視図である。
【図２】その計器カバー内に収容する計器の一例である電力量計を示す図であり、（ａ）はその正面図、（ｂ）はその側面図である。
【図３】その計器カバーの組み立てを説明する図であり、（ａ）はその組み立て途中を示す斜視図、（ｂ）はその組み立て後を示す斜視図である。
【図４】本発明に係る計器カバーの第２実施形態を示す図であり、その全体構成を示す分解斜視図である。
【図５】その計器カバーの組み立てを説明する図であり、（ａ）はその組み立て途中を示す斜視図、（ｂ）はその組み立て後を示す斜視図である。
【図６】その計器カバーの従来技術を示す図であり、（ａ）はその一部切欠き正面図、（ｂ）はその縦断側面図である。
【図７】図６と異なる構造の計器カバーの従来技術を示す図であり、（ａ）はその正面図、（ｂ）はその側面図、（ｃ）はその下面図、（ｄ）は（ａ）におけるＡ−Ａ断面矢視図である。
【発明を実施するための形態】
【００１６】
計器の取付対象に設置して該計器の外面を覆う状態にする計器カバーであって、前記計器の取付面を被取付面に対面させる状態で固定するとともに該被取付面の背面側の固定面を前記取付対象に対面させる状態で固定するベース部材と、前記計器の外面の一部または全体を覆うことのできる形状に形成されているカバー部材と、を備えて、前記ベース部材には前記被取付面および前記固定面の間の外面に係合凹部または係合凸部の一方が形成されるとともに、前記カバー部材には前記ベース部材の前記係合凹部または前記係合凸部の一方に係合させる前記係合凹部または前記係合凸部の他方が形成されており、前記カバー部材は前記係合凹部と前記係合凸部の断面幅以下の薄い肉厚の材料により形成される一方、前記ベース部材は前記係合凹部と前記係合凸部の断面幅よりも厚く前記カバー部材の数倍の肉厚に形成されていることを基本構成とするのに加えて、次の構成を備えてもよい。
【００１７】
第１の形態としては、前記係合凹部は、前記ベース部材の前記被取付面および前記固定面の間の側面の両側の一方または双方に少なくとも１箇所以上で開口する穴形状に形成されているとともに、前記係合凸部は、前記カバー部材の前記係合凹部のそれぞれに対応する箇所に配設されて当該穴形状内に差し込む突起形状に形成されており、前記カバー部材は、前記係合凸部を前記ベース部材の前記係合凹部内に差し込む方向に移動させることで突き合わせて前記計器を収容可能な外形を形成する複数部品に分割されているとともに、当該突合箇所に互いに係合するロック構造が形成されている。
【００１８】
この構成では、複数に分割されている少なくとも１つのカバー部材の突起形状の係合凸部をベース部材の穴形状の係合凹部内に差し込むだけで他のカバー部材に突き合わせて容易に組み立てることができ、そのカバー部材同士の突合箇所を係合ロックすることで、ベース部材側でロック構造が腐食等してしまうことを回避しつつ組み立てることができる。したがって、ネジ止めする構造の場合のように、ネジ部が腐食してベース部材側も交換する事態になってしまうことを回避することができる。
【００１９】
第２の形態としては、前記カバー部材は、前記ベース部材の前記係合凹部の一方が形成されている前記側面の延長方向に延在する板形状の第１側面部および前記計器の正面に対面する板形状の正面部を少なくとも有する第１カバーと、前記ベース部材の前記係合凹部の他方が形成されている前記側面の延長方向に延在する板形状の第２側面部を少なくとも有する第２カバーと、を備えて、前記計器の上面に対面する上面部は前記第１カバーまたは前記第２カバーの一方に備えられているとともに、前記計器の下面に対面する下面部は前記第１カバーまたは前記第２カバーの一方あるいは他方に備えられており、前記ロック構造は、前記第１カバーの前記正面部と前記第２カバーの前記第２側面部の前記突合箇所に配設されている。
【００２０】
この構成では、カバー部材の第１カバーと第２カバーの第１、第２側面部、正面部、上面部および下面部で計器の外面の全体を覆って、その第２側面部と正面部の突当箇所を係合ロックして組み立てることができ、反対に、少なくともカバー部材の第１カバーの係合凸部をベース部材の係合凹部から引き抜く方向に移動させるだけで計器の正面を開放することができる。したがって、簡易に計器を露出させることができ、メンテナンスなどの各種作業を容易に行なうことができる。
【００２１】
第３の形態としては、前記係合凹部および前記係合凸部は、嵌め合い可能に同一形状に形成されているとともに、前記ベース部材および前記カバー部材の組み合わせ種別毎に異なる横断面形状に形成されている。
【００２２】
この構成では、異なる種別のベース部材にカバー部材を取り付けてしまうことを回避することができる。したがって、隙間ができるなど不十分な状態で取り付けてしまうことを防止することができる。
【００２３】
第４の形態としては、前記カバー部材は、前記計器の電線を接続する接続端子部に対面して当該外面を覆う形状に形成されている。
【００２４】
この構成では、屋外と違って、屋内に設置される計器などのように全体を覆う必要がない場合には、接続端子部の外面を覆う状態に取り付けることができる。したがって、簡易な構造で必要な箇所のみを覆って、不用意に触れて短絡・感電などの事故が発生することを防止することができる。
【００２５】
以下、図面を参照して、本発明の実施形態について詳細に説明する。図１〜図３は本発明に係る計器カバーの第１実施形態を示す図である。
【００２６】
図１において、計器ケース（計器カバー）１０は、図２に示す電力量計（計器）１００を内部に収納可能な箱型に設計されており、その電力量計１００の外面の全体を覆うことで屋外に設置することを実現する。
【００２７】
ここで、電力量計１００は、例えば、商用電源からの供給電力を消費する負荷装置を設備する各戸（各家庭）毎などに設置するものであり、商用電源と負荷装置の間に消費電力を積算する本体部１０１が介在するように電力線を接続端子台（接続端子部）１０２に接続して、供給電力量に応じた課金などを可能にする。なお、この電力量計１００は、接続端子台１０２に保護カバー１０３を取り付けることにより、不用意に触れて感電や短絡などの事故が発生することを防止している。
【００２８】
計器ケース１０は、電力量計１００を設置する家屋などの屋外の外壁（取付面）に固定するベース１１と、このベース１１に取り付けて電力量計１００を収容する空間を形成する２つ一組の側面カバー２１および多面カバー３１とで構成されており、ベース１１に側面カバー２１と多面カバー３１をそれぞれ組み付けることにより電力量計１００を内部に収容する。
【００２９】
ベース１１は、電力量計１００の背面（取付面）１００ｂよりも大き目の長方形で肉厚の板状ブロック形状に、例えば、絶縁性を有する樹脂材料により作製されている。このベース１１は、背面（固定面）１１ｂを前記外壁（取付対象）に対面させる状態に４本の固定ネジＮ１でネジ止め固定するとともに、正面（被取付面）１１ｆに電力量計１００の背面１００ｂを対面させる状態にして１本の取付ネジＮ２を不図示の引掛穴内に差し込んで引っ掛けることができるようになっている。
【００３０】
すなわち、ベース１１は、ベース部材を構成しており、前記外壁との間に挟まれる状態で電力量計１００を取付固定することができるようになっている。
【００３１】
側面カバー２１は、電力量計１００の左側面よりも大きめの長方形の薄肉の板形状（第２側面部）に、例えば、絶縁性を有する樹脂材料により作製されている。この側面カバー２１は、ベース１１の左側の側面１１ｓｌ側に端辺側を取り付けて電力量計１００の左側面に対面させるようになっている。
【００３２】
多面カバー３１は、電力量計１００の右側面よりも大きめの長方形の薄肉の板形状の右側面部（第１側面部）３２と、その正面よりも大き目の長方形の薄肉の板形状の正面部３３と、その上面よりも大き目の長方形の薄肉の板形状の上面部３４と、その下面よりも大き目の長方形の薄肉の板形状の下面部３５とが、例えば、絶縁性を有する樹脂材料により一体になるように作製されている。この多面カバー３１は、ベース１１の右側の側面１１ｓｒ側に取り付けて電力量計１００の右側面と共に正面、上面、下面に対面する箱型になるように設計されている。ここで、この多面カバー３１は、右側面部３２が側面カバー２１と同一形状に形成されているのに対して、正面部３３、上面部３４および下面部３５がベース１１よりも幅広に形成されることにより、組み立てたときに側面カバー２１の周縁２１ａを正面部３３、上面部３４および下面部３５の端辺３３ａ、３４ａ、３５ａよりも内側に位置させて雨水が浸入する隙間が外面側に露出しないように形成されている。
【００３３】
すなわち、側面カバー２１および多面カバー３１は、第１、第２カバーからなるカバー部材を構成しており、ベース１１に取り付けることにより電力量計１００の外面の全体を覆う状態にして内部に収容する箱型に形成されているとともに、多面カバー３１側をベース１１から外すだけで電力量計１００の正面を容易に露出させて作業可能に開放することができる。なお、多面カバー３１の正面部３３には、内部の電力量計１００の本体部１０１を目視可能にする窓３３ｗが形成されている。
【００３４】
そして、ベース１１には、左側面１１ｓｌと右側面１１ｓｒの側面（外面）間を貫通する貫通穴１２が上部および下部に形成されており、その貫通穴１２は、大きな大角柱空間部１２ａの外側（上側および下側）に小さな小角柱空間部１２ｂが連続することにより縦断面が概略Ｔ字形状になっている。すなわち、上部の貫通穴１２は天地が逆転する姿勢に形成されている。なお、貫通穴１２の小角柱空間部１２ｂは、ベース１１の上面１１ｔと下面１１ｕに溝形状で開口している。
【００３５】
一方、側面カバー２１には、ベース１１の貫通穴１２に対応する位置の端辺側に、縦断面形状がその貫通穴１２と同一形状になる差込棒２２が鉛直姿勢で立設されており、その差込棒２２は、大きな大角柱形状部２２ａの外側（上側および下側）に小さな小角柱形状部２２ｂが連続することにより縦断面が概略Ｔ字形状になっている。すなわち、上部の貫通穴１２と同様に、上部の差込棒２２は天地が逆転する姿勢に形成されている。
【００３６】
多面カバー３１にも、同様に、右側面部３２のベース１１の貫通穴１２に対応する位置の端辺側に、縦断面形状がその貫通穴１２と同一形状になる差込棒２２が鉛直姿勢で立設されており、その差込棒２２は、大きな大角柱形状部２２ａの外側（上側および下側）に小さな小角柱形状部２２ｂが連続することにより縦断面が概略Ｔ字形状になっている。
【００３７】
すなわち、ベース１１の貫通穴１２が穴形状の係合凹部を構成する一方、側面カバー２１および多面カバー３１の差込棒２２が突起形状の係合凸部を構成しており、側面カバー２１および多面カバー３１は、大角柱形状部２２ａの断面幅よりもかなり薄い肉厚に形成される一方、ベース１１は、大角柱形状部２２ａの断面幅よりも厚く側面カバー２１などよりも数倍の肉厚に形成されている。
【００３８】
そして、側面カバー２１および多面カバー３１は、図３に示すように、ベース１１の貫通穴１２に差込棒２２を嵌め込んで互いに接近させる方向に移動させるだけで、多面カバー３１の右側面部３２、正面部３３、上面部３４および下面部３５のそれぞれの端辺３２ａ、３３ａ、３４ａ、３５ａ内に、側面カバー２１の周縁２１ａを密接する状態で位置させて電力量計１００を内部に収容する箱型にすることができる。また、ベース１１の貫通穴１２と側面カバー２１および多面カバー３１の差込棒２２は、異なる寸法・形状のものでは互いに嵌め合う状態になることがなく、異なる種別の計器用のものを組み合わせて隙間が形成されている状態になってしまうことを未然に防止することができる。
【００３９】
また、側面カバー２１および多面カバー３１の右側面部３２には、上部側の差込棒２２の上側でベース１１を固定する前記外壁に接する位置に、長方形の板形状に形成されている案内バー２５が鉛直姿勢で立設されており、案内バー２５は、背面２５ｂを前記外壁に面する状態で下面２５ｕをベース１１の上面１１ｔに摺接させる状態に位置決めすることで、差込棒２２を貫通穴１２内にスムーズに嵌入するように案内する。
【００４０】
また、側面カバー２１は、周縁２１ａの前面側に鉛直姿勢で外方に延在する延長片２７が形成されているとともに、多面カバー３１の正面部３３には、延長片２７に対応する位置を外方に延長されているロック片３７が形成されている。このロック片３７の先端側には、側面カバー２１の延長片２７側に屈折されている爪形状３８が形成されている。このため、側面カバー２１の周縁２１ａに多面カバー３１の正面部３３の端辺３３ａを突き当てる方向に移動させて箱型にする際には、爪形状３８が延長片２７を乗り越えてロック片３７を対面させる密接状態に係合ロックさせることができる構造になっている。なお、この延長片２７とロック片３７には、対面状態で開口位置が一致する取付穴２７ａ、３７ａが形成されており、係合ロックする状態にした後にその取付穴２７ａ、３７ａに紐を通して不用意に開けられないように封印する封印具２９を取り付けるようになっている。
【００４１】
したがって、側面カバー２１や多面カバー３１は、薄肉の板材料により作製されているのに対して、ベース１１は、側面カバー２１や多面カバー３１の大角柱形状部２２ａと小角柱形状部２２ｂからなる差込棒２２を差し込んで嵌め込むことができるように、大角柱空間部１２ａと小角柱空間部１２ｂからなる貫通穴１２が両側面１１ｓｌ、１１ｓｒに開口しており、側面カバー２１や多面カバー３１の数倍の肉厚の板状ブロック形状に作製されることになる。
【００４２】
このため、ベース１１は、機械的強度が側面カバー２１や多面カバー３１よりも大きくされており、計器ケース１０に衝撃が加えられるとしても、ベース１１が損傷することなく、側面カバー２１や多面カバー３１が損傷することで、その衝撃を吸収することができ、ベース１１や電力量計１００をそのままにした状態で側面カバー２１や多面カバー３１を交換して復旧することができる。
【００４３】
また、この計器ケース１０では、ベース１１を固定する固定ネジＮ１や電力量計１００を取り付ける取付ネジＮ２は側面カバー２１や多面カバー３１で囲まれて雨水や外気などに晒されている状態にないので、腐食などしてしまうことはなく、経時劣化によるメンテナンス期間を長期化することができる。
【００４４】
このように本実施形態においては、ベース１１を側面カバー２１や多面カバー３１よりも厚くすることで、特別な材料を選択してベース１１の強度を強化するような煩雑な設計をすることなく、衝撃を受けた場合には、側面カバー２１や多面カバー３１側を損傷させて、ベース１１を再利用可能な状態にすることができる。このため、停電する必要なく、差込棒２２を貫通穴１２内に抜き差しするだけで、電力量計１００を稼動させたまま容易に復旧することができる。また、側面カバー２１と多面カバー３１を係合ロック・解除することで、電力量計１００を収容する空間を開閉するロック構造を採用するので、仮に、そのロック構造が損傷したとしてもベース１１側に影響することはなく、その側面カバー２１や多面カバー３１を交換するだけで復旧することができる。したがって、電力供給を継続するとともに、適切で容易な復旧作業を実現して作業負担を軽減することができる。
【００４５】
次に、図４および図５は本発明に係る計器カバーの第２実施形態を示す図である。ここで、本実施形態は上述実施形態と略同様な構成を有することから、同様の構成には同一の符号を付して特徴部分を説明する。
【００４６】
図４において、計器カバー４０は、電力量計（計器）１００が屋内に設置されるなど、全体を覆う必要がない場合に、その接続端子台１０２に対面して背面側に隠すように形成されており、保護カバー１０３と共に、あるいは、保護カバー１０３に代えて、不必要に接続端子台１０２内の端子に触れてしまうことがないようにカバーする。
【００４７】
計器カバー４０は、計器ケース１０のベース１１を共通使用するとともに、カバー部材を構成する２つ一組の左カバー４１と右カバー５１とを備えることで構成されており、電力量計１００の接続端子台１０２の前面に位置するように、ベース１１に左カバー４１と右カバー５１とを左右対称に組み付けるようになっている。
【００４８】
左カバー４１は、電力量計１００の接続端子台１０２の左側面側に対面するとともに、その前面側および底面側の中央まで対面するように断面Ｌ字になる薄肉の板形状に、また、右カバー５１は、同様に、電力量計１００の接続端子台１０２の右側面側に対面するとともに、その前面側および底面側の中央まで対面するように断面Ｌ字になる薄肉の板形状に、それぞれ絶縁性を有する樹脂材料により作製されている。これら左カバー４１と右カバー５１は、ベース１１の下部の側面１１ｓｌ、１１ｓｒに開口する貫通穴１２内に差し込む差込棒２２がそれぞれ対応する側面部４２、５２に鉛直姿勢で立設されている。
【００４９】
また、これら左カバー４１と右カバー５１には、電力量計１００の接続端子台１０２の前面側の前面部４３、５３の突合せ箇所が手前側に屈曲することにより、互いに対面する対面部４４、５４が形成されている。左カバー４１の対面部４４には、板形状に突出する差込片４５が形成される一方、右カバー５１の対面部５４には、その差込片４５を差込可能に開口する長穴５５が形成されている。また、この左カバー４１と右カバー５１の対面部４４、５４には、対面状態で開口位置が一致する取付穴４４ａ、５４ａが形成されており、その取付穴４４ａ、５４ａに紐を通して不用意に開けられないように封印する封印具４９を取り付けるようになっている。なお、図中の４６、５６は、左カバー４１と右カバー５１の電力量計１００の接続端子台１０２の底面側の底面部である。
【００５０】
したがって、左カバー４１と右カバー５１は、上述実施形態の側面カバー２１や多面カバー３１と同様に、図５に示すように、ベース１１の貫通穴１２に差込棒２２を嵌め込んで互いに接近させる方向に移動させるだけで、差込片４５を長穴５５内に差し込む状態にして対面部４４、５４を対面させた状態にして、電力量計１００の接続端子台１０２の外面を覆う状態にすることができる。このため、図７に示す計器カバー３００のように、短絡事故が起こらないように細心の注意を払って、電力量計１００の接続端子台１０２に長ネジを差し込むような作業負担なく、容易に電力量計１００に計器カバー４０を取り付けることができる。
【００５１】
そして、左カバー４１と右カバー５１は、ベース１１よりも機械的強度が弱く、計器カバー４０に衝撃が加えられるとしても、ベース１１が損傷することなく、自身が損傷することで、その衝撃を吸収することができ、ベース１１や電力量計１００をそのままにした状態で交換して復旧することができる。
【００５２】
このように本実施形態においては、上述実施形態と同様の作用効果を得つつ、屋内に設置する電力量計１００の接続端子台１０２を隠す状態にして保護することができる。
【００５３】
ここで、上述実施形態の他の態様としては、ベース１１の側面１１ｓｌ、１１ｓｒに形成する貫通穴１２は上下の２箇所に限らず、３箇所以上形成してもよい。また、１箇所でもよく、この場合には、計器ケース１０と計器カバー４０で共用可能に下部のみに形成すればよい。また、この貫通穴１２は、ベース１１の側面１１ｓｌ、１１ｓｒの双方に必ずしも形成する必要はなく、例えば、側面カバー２１側は取り外し不能に固定してもよいが、交換可能に上述実施形態のように形成するのが好ましい。また、ベース１１は、１枚に限らず、貫通穴１２毎に分割されていてもよい。また、この貫通穴１２と差込棒２２は、断面Ｔ字形状などに限らず、例えば、断面４角形状でもよく、また、断面円形でもよいが、異なる種別の取り付けを制限する寸法・形状を採用するのが好ましい。
【００５４】
また、多面カバー３１は、右側面部３２を単独で着脱できるようにするとともに、正面部３３、上面部３４、下面部３５は、ベース１１の上面１１ｔに回動可能に引っ掛けるようにして、計器ケース１０のカバー部材を３部品に分割してもよい。また、多面カバー３１は、右側面部３２と正面部３３のみに、あるいは、上面部３４または下面部３５の一方を一体に形成するようにして、残りを側面カバー２１側に一体形成してもよい。
【００５５】
また、計器カバー４０は、左右対称の左カバー４１と右カバー５１に代えて、第１実施形態の側面カバー２１や多面カバー３１と同様に、一方を側面側のみとして、他方を前面側に対面させる形状にしてもよい。
【００５６】
さらに、上述実施形態では、差込棒２２を貫通穴１２内に差し込んで嵌め合わせる構造を採用するが、これに限らず、ベース１１の側面１１ｓｌ、１１ｓｒや上面１１ｔや下面１１ｕに延在する溝形状の係合凹部を形成する一方、一面側の開口する箱形状のカバー部材の周縁内面にその溝形状に嵌まり込む畝形状の係合凸部を形成して着脱可能に設計してもよい。また、ベース１１側に係合凸部を形成する一方、一面側の開口する箱形状のカバー部材の周縁にその係合凸部を嵌め込む係合穴（凹部）を開口させて着脱可能に設計してもよい。
【産業上の利用可能性】
【００５７】
これまで本発明の一実施形態について説明したが、本発明は上述の実施形態に限定されず、その技術的思想の範囲内において種々異なる形態にて実施されてよいことは言うまでもない。
【符号の説明】
【００５８】
１０……計器ケース      １１……ベース      １１ｓｌ、１１ｓｒ……側面      １２……貫通穴      ２１……側面カバー      ２２……差込棒      ２５……案内バー      ２７……延長片      ３１……多面カバー      ３２……右側面部      ３３……正面部      ３４……上面部      ３５……下面部      ３７……ロック片      ３７ａ……爪形状      ４０……計器カバー      ４１……左カバー      ４２、５２……側面部      ４３、５３……前面部      ４４、５４……対面部      ４５……差込片      ５１……右カバー      ５５……長穴      １００……電力量計      １０１……本体部      １０２……接続端子台      １０３……保護カバー
【図１】
2011002275.tif 000003
【図２】
2011002275.tif 000004
【図３】
2011002275.tif 000005
【図４】
2011002275.tif 000006
【図５】
2011002275.tif 000007
【図６】
2011002275.tif 000008
【図７】
2011002275.tif 000009